(57)【特許請求の範囲】
【請求項１】
左右端面部、前面板部、後面板部が形成されている被固定物の左右部に閉じた状態で外接され左右方向の内側に向けて開口した平面が略コ字形をなした左右嵌合部材を左右一対に一体的に備え、これら左右の嵌合部材の内側に楔体を設ける固定金具において、
前記左嵌合部材は、前記被固定物の左端面部に対向する側を開口するように平面視がコ字形となるように左部端板部と、この左部端板部の前部に内側に向けて前記前面板部にあてがうように直角方向に突出する左部前板部と、前記左部端板部の後部に内側に向けて後面板部にあてがうように直角方向に突出する左部後板部とを備え、
前記右嵌合部材は、前記右端面部に対向する側を開口するように平面視がコ字形となるように右部端板部と、この右部端板部の前部に内側に向けて前記前面板部にあてがうように直角方向に突出する右部前板部と、前記右部端板部の後部に内側に向けて後面板部にあてがうように直角方向に突出する右部後板部とを備え、
前記左部後板部の内面に、上部より下部が内側となるように一様に傾斜している平面視が凹状の溝からなる左側案内路を形成し、前記左側案内路に上下方向摺動自在に取り付けられる左側楔体の後部は前記案内路と同様に傾斜していると共に、前端面はほぼ垂直方向に設けられ、
前記右部後板部の内面に、上部より下部が内側となるように一様に傾斜している平面視が凹状の溝からなる右側案内路を形成し、前記右側案内路に上下方向摺動自在に取り付けられる右側楔体の後部は前記案内路と同様に傾斜していると共に、前端面はほぼ垂直方向に設けられることを特徴とする固定金具。
【請求項２】
前記左右一対の左右嵌合部材を開閉可能に連結したことを特徴とする請求項１記載の固定金具。
【請求項３】
前記左右一対の左右嵌合部材を回動自在に連結したことを特徴とする請求項２記載の固定金具。
【請求項４】
前記左右一対の前記左右嵌合部材を着脱可能に連結したことを特徴とする請求項２記載の固定金具。
【発明の詳細な説明】
【技術分野】
【０００１】
本発明は、楔方式で支柱等の任意の高さに組付けることができるようにした足場組立或いは棚などの固定金具に関するものである。
【背景技術】
【０００２】
従来、この種のものとして連結軸を介して蝶番状に開閉可能に連結され、閉じた状態で支柱に外接される左右各部材と、左右両部材の一方の連結軸と反対側の端部に縦軸回りに回転可能に支持させた横軸の螺子と、この螺子に螺合されたナットと、左右両部材の他方の連結軸と反対側の端部に形成され前記螺子が挿通される溝とを備え、さらに左右両部材の中央部をこれらを閉じた状態で支柱の中心から離れる方向にコ字形に凸曲させたポケットが形成されており、左右両部材を開いてこれらの間に支柱を挟み込み、螺子を溝に振り込んだ後、ナットを締め込んで左右両部材で支柱を挟持することにより、支柱の任意の高さに固定することができると共に、組付部品の楔をその端面が支柱に接するようにしてポケットに差し込むことができ、寸法が規格化されている既製の組付部品をそのまま使用することができるものが知られている（例えば特許文献１）。
【特許文献１】特開平９−２４２３３０号公報
【発明の開示】
【発明が解決しようとする課題】
【０００３】
前記従来技術においては、左右両部材の中央部を平面視において更に外側にコ字形に凸曲させてポケットを形成するようにしたものであるが、支柱とコ字形の部位間の空隙に組付部品の楔を挿入するようになっているため、楔を安定性よく挿入しにくいという問題がある。
【０００４】
解決しようとする問題点は、閉じた状態で被固定物の左右部に外接され左右方向の内側に向けて開口して平面がコ字形をなした左右嵌合部材を左右一対に一体的に備えた固定金具において、楔体の挿入の安定性を向上できるようにした点である。
【課題を解決するための手段】
【０００５】
請求項１の発明は、左右端面部、前面板部、後面板部が形成されている被固定物の左右部に閉じた状態で外接され左右方向の内側に向けて開口した平面が略コ字形をなした左右嵌合部材を左右一対に一体的に備え、これら左右の嵌合部材の内側に楔体を設ける固定金具において、前記左嵌合部材は、前記被固定物の左端面部に対向する側を開口するように平面視がコ字形となるように左部端板部と、この左部端板部の前部に内側に向けて前記前面板部にあてがうように直角方向に突出する左部前板部と、前記左部端板部の後部に内側に向けて後面板部にあてがうように直角方向に突出する左部後板部とを備え、前記右嵌合部材は、前記右端面部に対向する側を開口するように平面視がコ字形となるように右部端板部と、この右部端板部の前部に内側に向けて前記前面板部にあてがうように直角方向に突出する右部前板部と、前記右部端板部の後部に内側に向けて後面板部にあてがうように直角方向に突出する右部後板部とを備え、前記左部後板部の内面に、上部より下部が内側となるように一様に傾斜している平面視が凹状の溝からなる左側案内路を形成し、前記左側案内路に上下方向摺動自在に取り付けられる左側楔体の後部は前記案内路と同様に傾斜していると共に、前端面はほぼ垂直方向に設けられ、前記右部後板部の内面に、上部より下部が内側となるように一様に傾斜している平面視が凹状の溝からなる右側案内路を形成し、前記右側案内路に上下方向摺動自在に取り付けられる右側楔体の後部は前記案内路と同様に傾斜していると共に、前端面はほぼ垂直方向に設けられることを特徴とする固定金具である。
【０００６】
請求項２の発明は、前記左右一対の左右嵌合部材を開閉可能に連結したことを特徴とする請求項１記載の固定金具である。
【０００７】
請求項３の発明は、前記左右一対の左右嵌合部材を回動自在に連結したことを特徴とする請求項２記載の固定金具である。
【０００８】
請求項４の発明は、前記左右一対の前記左右嵌合部材を着脱可能に連結したことを特徴とする請求項２記載の固定金具である。
【発明の効果】
【０００９】
請求項１の発明によれば、嵌合部材に案内路を縦向きに設け、この案内路に楔体を設けたことにより、楔体は案内路に案内されて安定した状態で楔体を取り付けることができる。
【００１０】
請求項２の発明によれば、左右嵌合部材を開いた状態で被固定物に嵌合して、固定金具を簡単に取り付けることができる。
【００１１】
請求項３の発明によれば、左右嵌合部材を回動し開いた状態で被固定物に嵌合して、固定金具を簡単に取り付けることができる。
【００１２】
請求項４の発明によれば、左右嵌合部材を分解し開いた状態で被固定物に嵌合して、固定金具を簡単に取り付けることができる。
【発明を実施するための最良の形態】
【００１３】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００１４】
図１〜９は実施例１を示しており、この実施例などで記載している左右前後の方向は特定方向をあらわしているのでなく、相対的な方向を示している。そして実施例１ではＨ型鋼、Ｉ型鋼等鉄骨や構造物などの平面視が矩形の鉄など被固定物１である金属板に例えば固定物である足場板２或いは棚板などを横向に固定するために用いられる固定金具３の場合を示している。被固定物１の左右前後には、左右端面部１Ａ，１Ｂと幅大で平らな前面板部１Ｃと後面板部１Ｄが形成されている。尚、固定物は固定金具３によってその端を被固定物１に固定するものであればよく、足場以外に棚状のような被固定物１に対して横向に張り出すようなものであればよい。
【００１５】
そして、被固定物１の左右部に外接して嵌合し、内側に向けて開口する左嵌合部材４、右嵌合部材５を左右一対に間隔をおいて一体的に設ける。被固定物１の左端面部１Ａを外接して外嵌合する左嵌合部材４は、内側を開口するように、すなわち左端面部１Ａに対向する側を開口するように平面視がコ字形となるように左部端板部４Ａと、この左部端板部４Ａの前部に内側に向けて前面板部１Ｃにあてがうように直角方向に突出する左部前板部４Ｂと、左部端板部４Ａの後部に内側に向けて後面板部１Ｄにあてがうように直角方向に突出する左部後板部４Ｃとを備えるものであって、左部後板部４Ｃの内側端部には後述する右部後板部５Ｃに向けて左部中間板部４Ｄが一体に突出している。そして、左部後板部４Ｃにおける内面４Ｃ´は下部側が上部側より前方に配置するように一様に傾斜している。すなわち、左部前板部４Ｂに対向する内面４Ｃ´の下部は内面４Ｃ´の上部よりも左部前板部４Ｂに近づくように同じ傾斜角を有して内側に向けて傾斜して形成されている。尚、内面４Ｃ´の傾斜角度と楔奥板部６Ｂの後面の傾斜角度は同じ角度に形成されている。すなわち、楔奥板部６Ｂの後面の下部は上部よりも左部前板部４Ｂに近づくように同じ傾斜角を有して内側に向けて傾斜して形成されている。
【００１６】
さらに、被固定物１の右端面部１Ｂを外接して外嵌合する右嵌合部材５は、内側を開口するように、すなわち右端面部１Ｂに対向する側を開口するように平面視がコ字形となるように右部端板部５Ａと、この右部端板部５Ａの前部に内側に向けて前面板部１Ｃにあてがうように直角方向に突出する右部前板部５Ｂと、右部端板部５Ａの後部に内側に向けて後面板部１Ｄにあてがうように直角方向に突出する右部後板部５Ｃとを備えるものであって、右部後板部５Ｃの内側端部には左部後板部４Ｃ、すなわち左部中間板部４Ｄに向けて右部中間板部５Ｄを一体に突出している。そして、左部後板部５Ｃにおける内面５Ｃ´は下部側が上部側より前方に配置するように一様に傾斜している。
【００１７】
さらに、左部後板部４Ｃにおける左部中間板部４Ｄの内側端部と、右部後板部５Ｃにおける右部中間板部５Ｄの内側端部とを連結板16を介して回動自在に連結する。この連結板16は、被固定物１の後面板部１Ｄの中央の後方に配置されるものであって、連結板16の左右両側に左連結受け部16Ａ、右連結受け部16Ｂが設けられ、左部中間板部４Ｄの端部に設けた左連結部４Ｅに左連結受け部16Ａが外嵌合している。左連結部４Ｅは円筒或いは円柱状であって、その中心軸となる左軸線Ｌは連結板16の縦向き中心軸線Ｃに対して上方が近づき、下方が遠のくように傾斜している。
【００１８】
同様に左連結受け部16Ａの内周面の軸線も左軸線Ｌと同一な傾斜に形成されている。右部中間板部５Ｄの端部に設けた右連結部５Ｅに右連結受け部16Ｂが外嵌合している。
【００１９】
右連結部５Ｅは円筒或いは円柱状であって、その中心軸となる右軸線Ｒは連結板16の中心軸線Ｃに対して上方が近づき、下方が遠のくように傾斜している。同様に右連結受け部16Ｂの内周面の軸線も右軸線（図示せず）と同一な傾斜に形成されている。すなわち、左軸線Ｌと右軸線Ｒは縦向きの中心軸線Ｃを中心として両方が傾斜して左右対称にハの字形に配置されている。
【００２０】
そして、図１のように左嵌合部材４と右嵌合部材５とが被固定物１の左右を挟むように固定している状態では、左連結部４Ｅの左外周面、後外周面及び前外周面に左連結受け部16Ａの内周面が当接しており、同様に右連結部５Ｅの左外周面、後外周面及び前外周面に右連結受け部16Ｂの内周面が当接している。さらに、この状態では左連結部４Ｅと右連結部５Ｅとが背面がハ字形に配置されると共に、左連結受け部16Ａと右連結受け部16Ｂも背面が同じ傾斜状態のハ字形に配置されることで、左部中間板部４Ｄと右部中間板部５Ｄとの間に連結板16がテーパ状に嵌合して配置されている。
【００２１】
尚、連結板16の中央上部には後述する板本体22の下面を接触して支持する支持片16Ｃが設けられている。
【００２２】
さらに、左部後板部４Ｃの内面に左側楔体６を設ける。この左側楔体６は、金属製で下端側の前後方向の厚みＡを小さく上端側の前後方向の厚みＢを大きく形成したものであり、物と物とが離れないように両方に挟まれて介在して、物（被固定物１）と物（固定金具３）をつなぎあわすものであり、左側楔体６は、楔開口６Ａが前板部４Ｂに対向する楔奥板部６Ｂの左右に左右一対の楔側板部６Ｃを配置した平面視Ｕ字形で縦長な金具により形成されており、楔側板部６Ｃの前方に向けた前端面６Ｄには三角状の突起が上下方向に鋸歯状となっている。この前端面６Ｄの縦方向はほぼ垂直状態に形成されている。尚、左右一対の楔側板部６Ｃの上端には、天板状に上向きに形成される上向き部たる上面板部６Ｅが設けられている。そして、左側楔体６を後板部４Ｃの内面に上下方向摺動自在に取り付ける案内のために、後板部４Ｃの内面に左側案内路４Ｆを溝状に設ける。この左側案内路４Ｆは、内面４Ｃ´を後側に平面視が円弧凹状の溝に形成したものであり、この案内路４Ｆに楔奥板部６Ｂが嵌合して上下方向に摺動できるようになっている。
【００２３】
さらに、左側楔体６と左側案内路４Ｆとの間に上下方向摺動自在な抜け止め手段７が介在する。この抜け止め手段７は、楔側板部６Ｃに上下方向に細長い貫通孔７Ａが形成されており、この貫通孔７Ａを、左部後板部４Ｃに固定した軸部材７Ｂが遊挿すると共に、この軸部材７Ｂの前端の径大部７Ｃが内面４Ｃ´に係止して固定された軸部材７Ｂに対して左側楔体６が貫通孔７Ａの長手方向の範囲で摺動して移動できるようになっている。尚、貫通孔７Ａにかえて貫通孔を左部後板部４Ｃに形成すると共に、軸部材７Ｂを左側楔体６に固定するようにしてもよい。これは右側楔体９でも同様である。
【００２４】
尚、左右嵌合部材４，５における被固定物１側の面に対して楔開口６Ａ側は被固定物１側に突設して配置されており、これにより左右嵌合部材４，５と被固定物１に形成された隙間Ｓに後述する差込片が挿入する。また実施例では図３に示すように左側楔体６は左側案内路４Ｆに対して相対的に下方、或いは上方へ移動することができるように軸部材７Ｂと細長い貫通孔７Ａの上端との間には隙間Ｄ、軸部材７Ｂと細長い貫通孔７Ａの下端との間には隙間Ｅが形成されている。
【００２５】
また、左部前板部４Ｂには後板部４Ｃに向けてやや突出した突起８が左右一対に設けられており、この突起８は縦長であって、その縦方向が上下に向けられた前端面８Ａには三角状の突起が上下方向に鋸歯状となっている。この突起８は平面視がＵ字型の金具が左部前板部４Ｂに鋲やボルト・ナット或いは溶接などの固着手段８Ｂを介して固定されて設けられている。実施例では、固着手段８Ｂの他に、左部前板部４Ｂの上下端を後方に折り曲げて突起８の上下端を係止している。そして、後面板部１Ｄに当接する前端面６Ｄと前面板部１Ｃに当接する前端面８Ａとが被固定物１の厚みである間隔をおいて対向している。
【００２６】
同様に、右部後板部５Ｃの内面に右側楔体９を設けると共に、後板部５Ｃの内面に右側案内路５Ｆを溝状に設ける。そして、後板部５Ｃと右側楔体９との間には抜け止め手段７と同様な抜け止め手段10が介在している。さらに、右部前板部５Ｂには後方へ向けてやや突出した突起11が左右一対に固着手段11Ｂを介して設けられており、この突起11は上下方向に縦長であって、その前端面11Ａには三角状の突起が上下方向に鋸歯状となっている。
【００２７】
さらに、被固定物１に対して横向に張り出す板状の固定物である前記足場板２或いは棚板などは、幅広い面を上面21とした固定物本体である板本体22と、この板本体22の端部に折り曲げるように下向きに設けた差込片23とを備え、差込片23にはその幅方向の両側に差し込み側楔体24が設けられている。この差し込み側楔体24は、被固定物１に当接する面である後面25を板本体22に対して直交すると共に、後面25と対向する前面26は傾斜している。この傾斜は前記幅方向に直交する長手方向において上部の長さ（幅）Ｍより下部の長さ（幅）Ｎを次第に小さくするように形成している（Ｍ＞Ｎ）。尚、この差し込み側楔体24が被固定物１と固定金具３との間に挿入するように、左部中間板部４Ｄと右部中間板部５Ｄに差し込み受け用の溝27を垂直に設ける。この溝27は左部中間板部４Ｄと右部中間板部５Ｄのそれぞれ幅方向の中間に被固定物１側を開口すると共に、被固定物１より離れるように前方に向けて突設して形成されている。また、足場板２或いは棚板などの両側、すなわち差し込み側楔体24の上部に幅方向の両側に突片28を設けると共に、この突片28に左側楔体６の上面板部６Ｅ、右側楔体７の上面板部７Ｅを押圧する押圧手段29を設ける。実施例では左側楔体６の上面板部６Ｅ、右側楔体７の上面板部７Ｅに先端が対向するように設けられる押圧手段29は金具であって、突片28に上下方向に螺合したボルトなどの螺子軸により形成されている。さらに、足場板２或いは棚板などには差込片23の前方に連結板16の前面に接して該連結板16の前面を押圧する押圧手段30を設ける。実施例では押圧手段30は連結板16又は左嵌合部材４、右嵌合部材５の前面を直接接して押圧する板片によって形成している。
【００２８】
次に前記構成についてその作用を説明する。予め左嵌合部材４、右嵌合部材５を、連結板16を介して一体化しておく。この一体化は左連結部４Ｅ、右連結部５Ｅに左連結受け部16Ａ、右連結受け部16Ｂをそれぞれ回動自在に嵌合することによりなされる。そして被固定物１を左嵌合部材４、右嵌合部材５によって左右方向より外嵌合するため、左連結部４Ｅと左連結受け部16Ａ、右連結部５Ｅと右連結受け部16Ｂをそれぞれ回転中心として固定具３を開いておく。
【００２９】
そして図８に示すように固定具３を被固定物１に近づけて左嵌合部材４、右嵌合部材５を閉じるように回動してそれぞれ被固定物１の左右端面部１Ａ，１Ｂ側に外嵌合すると共に、突起８，11の前端面８Ａ，11Ａが前面板部１Ｃに食い込むように当接する。同時に左側楔体６は左嵌合部材４と被固定物１の後面板部１Ｄ間に介在する。同様に右側楔体９を右側案内路５Ｆに上方から挿入することで、右側楔体９を右嵌合部材５と被固定物１の後面板部１Ｄ間に介在する。
【００３０】
次に、図８〜９に示すように、固定具３に足場板２或いは棚板などを組み立てる。尚、この図８〜９においては連結板16を一点鎖線で示している。この組み立ては溝27と被固定物1との間に差し込み側楔体24を挿入して溝27に嵌合させると共に、左右嵌合部材４，５と被固定物１に形成された隙間Ｓに差込片23が挿入する。この際、上部の長さ（幅）Ｍより下部の長さ（幅）Ｎが小さいので、差し込み側楔体24は下方へ抜け落ちることなく半分以上が挿入した状態で、途中で止まっている。また、押圧手段29を突片28に対して下方への突出長さを調整してその下端を左側楔体６の上面板部６Ｅ、右側楔体７の上面板部７Ｅに当接させて、足場板２或いは棚板などからの加重が押圧手段29を介して上面板部６Ｅ、上面板部７Ｅに付加できるようになっている。また、押圧手段30が連結板16の前面に押圧することで、板本体22を押圧手段30を介しても支持することができる。
【００３１】
このように、被固定物１に固定金具３を取り付ける際、左側楔体６、右側楔体９は左嵌合部材４、右嵌合部材５と一体的に設けられている。
【００３２】
この際、足場板２或いは棚板などの荷重が左嵌合部材４、右嵌合部材５に加わると、上面板部６Ｅ，７Ｅの上面に押圧手段29により負荷が加わり、左側楔体６、右側楔体９の前端面６Ｄが被固定物１の後面に楔作用により圧着して被固定物１に固定具３を介して足場板２或いは棚板などを固定することができる。万一、例えば前面板部１Ｃと後面板部１Ｄの厚みが薄くなったような場合には、前記隙間Ｌによって左側楔体６が案内路４Ｆに沿って前進して左側楔体６は後面板部１Ｄに当接し、さらに緩んだ左嵌合部材４が下降して再び内面４Ｃ´が左側楔体６に圧着する。同時に左連結部４Ｅと左連結受け部16Ａは圧着状態となって一体化できる。すなわち、左軸線Ｌが中心軸線Ｃに対して傾斜している左連結部４Ｅに対する左連結受け部16Ａの外嵌合状態において、左連結部４Ｅに対して左連結受け部16Ａが左軸線Ｌに沿って相対的にずれることで、左嵌合部材４と連結板16との横方向の隙間のずれを埋めることができ、このような左連結部４Ｅと左連結受け部16Ａとの組み合わせによっても固定物１に対する固定具３の緩みを吸収することができるようになっている。右側楔体９側でも同様となる。
【００３３】
以上のように、前記実施例では左右嵌合部材４，５に該左右嵌合部材４，５の内面に向けて左右側案内路４Ｆ，５Ｆを縦向きに設け、この左右側案内路４Ｆ，５Ｆに左右側楔体６，９を設けたことにより、足場板２或いは棚板などの荷重が固定金具３に加わると楔体６，９が案内路４Ｆ，５Ｆを摺動して左右側楔体６，９が被固定物１に食い込むように圧着し、左右側楔体６，９が被固定物１の後面に圧着すると同時に、左右側楔体６，９楔が左嵌合部材４、右嵌合部材５に圧着することで、固定金具３を被固定物１に固定することができる。
【００３４】
また、左右一対の左右嵌合部材４，５を図１、２に示すように左軸線Ｌ、右軸線Ｒをそれぞれ回転中心として開閉可能となるように連結したことにより、固定金具３を開いた状態で被固定物１を左右両側から挟むようにして簡単に取り付けを行うことができる。さらに、左右嵌合部材４，５は連結板16を介して図５に示すように着脱自在に設けられているので、被固定物１の左右に分解状態の左右嵌合部材４，５を嵌合し、その状態で連結板16を設けて一体化することにより、固定金具３の取り付けを簡単に行うこともできる。
【００３５】
しかも、左右嵌合部材４，５は、連結板16を介して一体的となって回動可能に設けられるので、例えば左右嵌合部材４，５の一方を被固定物１に嵌合した後に、他方を簡単に嵌合できるようになる。
【００３６】
また、左嵌合部材４、右嵌合部材５の左部後板部４Ｃ、右部後板部５Ｃに案内路４Ｆ，５Ｆ及び楔体６，９を設けたことにより、被固定物１の前面板部１Ｃと後面板部１Ｄとを、左部前板部４Ｂと楔体６、右部前板部５Ｂと楔体９によりそれぞれ挟み込むようにして固定することができる。
【００３７】
さらに、前記案内路４Ｆ，５Ｆは上部より下部が内側となるように一様に傾斜しており、前記楔体６，９の後部は前記案内路４Ｆ，５Ｆと同様に傾斜していると共に、前端面６Ｄはほぼ垂直方向に設けられ、かつ前記楔体６の上方を開放するような上向き部である上面板部６Ｅを係止可能な押圧手段２９を固定物、すなわち足場板２或いは棚板などに設けたことによって、固定物に下向きに付加される力を楔体６に確実に伝達して楔体６を後面板部１Ｄに確実に圧着することができる。尚、左側楔体９においても同様である。
【００３８】
しかも、案内路４Ｆ，５Ｆと楔体６，９との間に摺動可能な抜け止め手段７，10が介在していることにより、被固定物１に対して固定金具３を取り付け、取り外しするときに、楔体６，９が落下するようなことはなく、簡単に作業を行うことができる。
【実施例２】
【００３９】
実施例２は実施例１における足場板２或いは棚板などの変形例を示したものであり、この実施例では上面板部７Ｅと、差し込み側楔体24を一体に設けた差込片23とをヒンジ軸31を介して回動自在に設けると共に、上面板部７Ｅの両側に設けた板片からなる押圧手段30は左嵌合部材４、右嵌合部材５の前面を直接接して押圧するようになっているものである。尚、板本体22の押圧手段29近傍の内側にはストッパー片32が下向きに突設している。
【００４０】
したがって、上面板部７Ｅと差込片23とを略一直線状にした状態で、差し込み側楔体24と共に差込片23を隙間Ｓ側に挿入した後、ヒンジ軸31を介して上面板部７Ｅ側を横向に張り出し、そしてストッパー片32を図７における左嵌合部材４、右嵌合部材５の溝27側に押圧するようにして上面板部７Ｅ係止することで、足場板２或いは棚板などを簡単に組み立てることができる。尚、ストッパー片32は連結板16側に係止できるようにしてもよい。
【産業上の利用可能性】
【００４１】
以上のように本発明に係る固定金具は、各種の用途に適用できる。例えば実施例では楔体などを嵌合部材の後部に設けたが前部でもよいなど各種の変形が可能である。
【図面の簡単な説明】
【００４２】
【図１】本発明の実施例１を示す固定金具の平断面図である。
【図２】同固定金具の側面図である。
【図３】同固定金具の縦断面図である。
【図４】同固定金具の背面図である。
【図５】同固定金具の分解斜視図である。
【図６】同板本体側の斜視図である。
【図７】同固定金具取り付け状態の斜視図である。
【図８】同板本体側を取り付けた状態の上方からの斜視図である。
【図９】同板本体側を取り付けた状態の下方からの斜視図である。
【図１０】本発明の実施例２を示す斜視図である。
【符号の説明】
【００４３】
１ 被固定物
１Ａ 左端面部
１Ｂ 右端面部
１Ｃ 前面板部
１Ｄ 後面板部
４ 左嵌合部材
４Ａ 左部端板部
４Ｂ 左部前板部
４Ｃ 左部後板部
４Ｆ ５Ｆ 案内路
４Ｇ 上面板部（下向き部）
５ 右嵌合部材
６ 左側楔体
６Ｄ 前端面
６Ｅ 上面板部（上向き部）
７ 10 21 抜け止め手段
９ 右側楔体
29 押圧手段
【図１】
0005115902.tif 000002
【図２】
0005115902.tif 000003
【図３】
0005115902.tif 000004
【図４】
0005115902.tif 000005
【図５】
0005115902.tif 000006
【図６】
0005115902.tif 000007
【図７】
0005115902.tif 000008
【図８】
0005115902.tif 000009
【図９】
0005115902.tif 000010
【図１０】
0005115902.tif 000011